(57)【特許請求の範囲】
【請求項１】
底壁(3)の周囲に側壁(5)及び端壁(6)をコーナーで接合して立設した複数個のトレー体(1)を、側壁(5)同士が隣り合うように連結部材(2)を介して連結し、連結部材(2)を除去すると、トレー体(1)同士が分離するようにした分割機能付きトレーにおいて、
前記各トレー体(1)には、他のトレー体(1)と隣り合う側壁(5)に、底壁(3)から起立した側板(5a)の外面にコーナー側で被さるように、端壁(6)の側端から延びる袋板(5d)を設けて、側板(5a)と袋板(5d)の間をポケット状に開放しておき、連結部材(2)は、一対の差込板(8)を連設して対向するように折り曲げたものとし、連結部材(2)の対向する差込板(8)を隣接するトレー体(1)の側板(5a)と袋板(5d)の間に差し込んで、トレー体(1)同士を連結したことを特徴とする分割機能付きトレー。
【発明の詳細な説明】
【技術分野】
【０００１】
この発明は、内容物の取扱単位に応じて、分割して使用できる分割機能付きトレーに関するものである。
【背景技術】
【０００２】
従来、この種の段ボール製トレーとして、下記特許文献１には、図９に示すようなものが記載されている。このトレーは、底壁５２の周囲に各一対の側壁５３及び端壁５４をコーナーで接合して立設した２個のトレー体５１を、連結部材５５を介して連結し、連結部材５５を除去すると、トレー体５１同士が分離するようにしたものである。
【０００３】
このトレーにおいて、各トレー体５１の端壁５４には、頂部及び底部に差込穴５６，５７がそれぞれ設けられ、連結部材５５は、台形状の板材の上端及び下端に各一対の差込片５８，５９を突設したものとされている。
【０００４】
そして、トレー体５１同士を連結する際には、２個のトレー体５１を、一方の側壁５３が隣り合うように並べ、連結部材５５の上部の差込片５８を、フック状に下方へ折り曲げて差込穴５６に差し込み、連結部材５５の下部の差込片５９を、差込穴５７に押し込んで抜け止めする。
【０００５】
また、このような分割機能付きトレーのほか、複数のトレー体を連結された状態で一体に形成しておき、分割する際、その連結部分をカッターナイフで切断する形式のものも使用されている。
【０００６】
【特許文献１】実開平３−７２６１２号公報
【発明の開示】
【発明が解決しようとする課題】
【０００７】
しかしながら、上記特許文献１に記載の分割機能付きトレーでは、トレー体５１同士を連結する際、連結部材５５上部の合計４個の差込片５８をフック状に折り曲げて、差込穴５６に差し込まなければならず、また、分割する際、差込穴５６，５７から差込片５８，５９が抜けにくいので、連結及び分割の作業に手間がかかるという問題がある。
【０００８】
また、差込穴５６，５７から差込片５８，５９を引き抜いて、トレー体５１同士を一旦分離すると、差込穴５７と差込片５９の両端部が潰れているため、再度連結したとき、差込穴５７から差込片５９が抜けやすくなり、トレー体５１の分離・連結を繰り返して行なうことができないという問題もある。
【０００９】
また、カッターナイフで切断して分割する形式のものでは、分割作業に非常に手間がかかるだけでなく、切り口でライナが剥がれるなど、分割後のトレー体の美観が損なわれることが多いという問題がある。
【００１０】
そこで、この発明は、連結及び分割の作業が容易で、分割後に美観が損なわれることがなく、トレー体の分離・連結を繰り返して行なうことができる分割機能付きトレーを提供することを課題とする。
【課題を解決するための手段】
【００１１】
上記課題を解決するため、この発明は、底壁の周囲に側壁及び端壁をコーナーで接合して立設した複数個のトレー体を、側壁同士が隣り合うように連結部材を介して連結し、連結部材を除去すると、トレー体同士が分離するようにした分割機能付きトレーにおいて、前記各トレー体には、他のトレー体と隣り合う側壁に、底壁から起立した側板の外面にコーナー側で被さるように、端壁の側端から延びる袋板を設けて、側板と袋板の間をポケット状に開放しておき、連結部材は、一対の差込板を連設して対向するように折り曲げたものとし、連結部材の対向する差込板を隣接するトレー体の側板と袋板の間に差し込んで、トレー体同士を連結したのである。
【発明の効果】
【００１２】
この発明に係る分割機能付きトレーでは、複雑な折り曲げや紙材が潰れる押込を伴うことなく、連結部材の対向する差込板を隣接するトレー体の側板と袋板の間に直線的にスライドさせて差し込むだけで、トレー体同士を容易かつ強固に連結できる。
【００１３】
また、トレー体の側板と袋板の間から連結部材の対向する差込板を直線的にスライドさせて引き抜くだけで、カッターナイフ等を使用することなく、トレー体同士を容易に分離でき、分割後のトレー体は美観に優れたものとなる。
【００１４】
さらに、トレー体を一旦分離しても、同様の作業手順により、連結強度の低下を伴うことなく、再度連結することができ、何度でも繰り返して分離・連結することができる。
【発明を実施するための最良の形態】
【００１５】
以下、この発明の実施形態を添付図面に基づいて説明する。
【００１６】
この発明の第１実施形態に係る分割機能付きトレーは、図１乃至図３に示すように、２個のトレー体１と、２個の連結部材２とから成り、これらのトレー体１は、連結部材２を介して連結され、連結部材２を除去すると、分離するようになっている。
【００１７】
このトレーの製造に際しては、図４に示すように、２個のトレー体１と、２個の連結部材２のブランクとが隣接した配置で一括して打ち抜かれる。これにより、材料の段ボールシートを効率的に利用できる。
【００１８】
各トレー体１のブランクでは、底壁３の周囲に、対向する側壁４，５となる部分と、これと直角をなして対向する端壁６となる部分とが設けられている。
【００１９】
側壁４の部分では、底壁３から外側板４ａ、額縁４ｂ及び内側板４ｃが順次延出され、側壁５の部分では、底壁３から側板５ａが延出されている。側板５ａには、先端からの切込により中間部に額縁５ｂ及び内折板５ｃが形成されている。
【００２０】
端壁６の部分では、底壁３から外端板６ａ、額縁６ｂ及び内端板６ｃが順次延出され、外端板６ａ及び内端板６ｃの一側には折込片４ｄ，４ｅがそれぞれ連設されている。外端板６ａの他側には、組立時に斜めの下縁が誘導縁となる袋板５ｄが連設され、袋板５ｄには、外端板６ａとの稜線に直交して額縁５ｅ及び内側板５ｆが順次連設されている。
【００２１】
側板５ａの両側端には、袋板５ｄへ切り込むように、先端側へかけて迫り出す三角形の折込片６ｄが連設されている。外側板４ａの両端部には、額縁４ｂ及び内側板４ｃへ切り込むように、扇形の桟板７が連設され、その外側には差込片７ａが連設されている。
【００２２】
内端板６ｃの先端には係合突起６ｅが、底壁３の外端板６ａとの境界沿いには係合穴３ａがそれぞれ設けられ、内側板５ｆの先端には係合突起５ｇが、底壁３の側板５ａとの境界沿いには係合穴３ｂがそれぞれ設けられている。
【００２３】
内側板４ｃの両側先端部には係合突起４ｆが、内端板６ｃには折込片４ｅとの境界に沿って係合穴６ｆがそれぞれ設けられ、額縁６ｂには差込穴６ｇが設けられている。
【００２４】
連結部材２のブランクは、各トレー体１の一方の折込片４ｅを短くして形成され、一対の差込板８を稜板９を介して連設し、稜板９の一端に突出部を設け、差込片８の一つのコーナーにトレー体１への差込時の誘導縁として丸みを設けたものとされている。
【００２５】
いま、上記のようなトレー体１のブランクを組み立てるには、図５に示すように、底壁３から側板５ａを起立させ、折込片６ｄを内側へ折り曲げ、底壁３から外端板６ａを起立させ、額縁６ｂを内側水平方向へ、内端板６ｃを下方へ順次折り曲げて、折込片６ｄを抱き込み、係合突起６ｅを係合穴３ａに係合させる。
【００２６】
次に、折込片４ｄ，４ｅを重ね合わせて内側へ折り曲げ、内折板５ｃを額縁５ｂをヒンジとして内側へ折り曲げて側板５ａの内面に重ね、袋板５ｄを側板５ａの外面にコーナー側で被さるように折り曲げる。
【００２７】
その後、図６に示すように、額縁５ｅを内側水平方向へ折り曲げ、内側板５ｆを下方へ順次折り曲げて、側板５ａ及び内折板５ｃの両端部を抱き込み、係合突起５ｇを係合穴３ｂに係合させる。
【００２８】
また、底壁３から外側板４ａを起立させ、額縁４ｂを内側水平方向へ、内側板４ｃを下方へ順次折り曲げて、折込片４ｄ，４ｅを抱き込み、係合突起４ｆを係合穴６ｆに係合させ、桟板７を内側水平方向へ折り曲げて、差込片７ａを差込穴６ｇに差し込む。
【００２９】
このようにトレー体１を組み立てると、底壁３の周囲に側壁４，５及び一対の端壁６が起立した状態に保持され、側板５ａと袋板５ｄの間は、トレー体１の底側及び内側でポケット状に開放される。
【００３０】
そして、２個のトレー体１を連結するには、図７に示すように、各トレー体１を上下反転させて、その側壁５同士が隣り合うように並べ、連結部材２を、一対の差込板８が対向するように稜板９を介して折り曲げ、対向する差込板８を隣接するトレー体１の側板５ａと袋板５ｄの間に差し込む。このとき、稜板９の突出部を下方へ向ける。
【００３１】
この状態で、図１に示すように、トレー体１の上下を正転させると、２個のトレー体１は、側壁５同士が密着した状態で固定され、２個のトレー体１が連結された段ボールトレーが完成する。
【００３２】
上記のような分割機能付きトレーでは、複雑な折り曲げや紙材が潰れる押込を伴うことなく、連結部材２の対向する差込板８を隣接するトレー体１の側板５ａと袋板５ｄの間に直線的にスライドさせて差し込むだけで、トレー体１同士を強固に連結できる。
【００３３】
また、稜板９の突出部に指を掛けて、図１及び図２に矢印で示すように、連結部材２を側壁５に沿って内側へ引っ張り、連結部材２の対向する差込板８をトレー体１の側板５ａと袋板５ｄの間から直線的にスライドさせて引き抜くだけで、図３に示すように、トレー体１同士を分離できる。
【００３４】
このように、カッターナイフ等を使用することなく、トレー体１同士を容易に分離することができ、分割後のトレー体１は、破れがなく、裏ライナを隠す内折板５ｃ等の存在も相俟って、美観に優れたものとなる。
【００３５】
さらに、トレー体１を一旦分離しても、同様の作業手順により、連結強度の低下を伴うことなく、再度連結することができ、何度でも繰り返して分離・連結することができる。
【００３６】
なお、上記第１実施形態では、２個のトレー体１のみを連結する形式のものを例示したが、図８に示す第２実施形態のように、各トレー体１を、側壁４に代えて、側壁５を対称に備え、両側面のコーナー部分に袋板５ｄを設けた形状とすると、連結部材２を介して３個又はそれ以上の多数のトレー体１同士を連結することができる。
【図面の簡単な説明】
【００３７】
【図１】第１実施形態に係る分割機能付きトレーの連結状態を示す斜視図
【図２】同上の連結部分の拡大横断平面図
【図３】同上のトレーの分割状態を示す斜視図
【図４】同上のトレーのブランクを示す図
【図５】同上のトレー体の組立過程を示す斜視図
【図６】同上のトレー体の組立状態を示す斜視図
【図７】同上のトレー体同士の連結過程を示す斜視図
【図８】第２実施形態に係る分割機能付きトレーの連結状態を示す斜視図
【図９】従来の分割機能付きトレーの分割状態を示す斜視図
【符号の説明】
【００３８】
１  トレー体
２  連結部材
３  底壁
４，５  側壁
４ａ  外側板
４ｂ  額縁
４ｃ  内側板
４ｄ，４ｅ  折込片
４ｆ  係合突起
５ａ  側板
５ｂ  額縁
５ｃ  内折板
５ｄ  袋板
５ｅ  額縁
５ｆ  内側板
５ｇ  係合突起
６  端壁
６ａ  外端板
６ｂ  額縁
６ｃ  内端板
６ｄ  折込片
６ｆ  係合穴
６ｇ  差込穴
７  桟板
７ａ  差込片
８  差込板
９  稜板
【図１】
0005086114.tif 000002
【図２】
0005086114.tif 000003
【図３】
0005086114.tif 000004
【図４】
0005086114.tif 000005
【図５】
0005086114.tif 000006
【図６】
0005086114.tif 000007
【図７】
0005086114.tif 000008
【図８】
0005086114.tif 000009
【図９】
0005086114.tif 000010